(57)【要約】      （修正有）【課題】  厚肉化によって材料コストを増大させることなく壜体の横方向の剛性と強度を向上させる壜体形状の設計を技術的課題とし、搬送ライン、自販機等でスムーズに使用でき、積重保管時における変形のない、そして高温充填用途向けには十分な減圧吸収機能が発揮される合成樹脂製壜体をより低コストで提供する。【解決手段】合成樹脂製壜体1において、胴部に複数の突条状の柱部15を、壜体の中心軸に対して、一定の傾斜角度に傾斜させ螺旋状に互いに並行して位置するように形成配置し、前記胴部筒壁に横方向から作用する押圧力に係る変形を抑制する。【選択図】図１
2006335383.tif 000002
【特許請求の範囲】
【請求項１】
胴部(4)に複数の突条状の柱部(15)を、壜体(1)の中心軸に対して、一定の傾斜角度(α)に傾斜させ螺旋状に互いに並行して位置するように形成配置し、前記胴部(4)筒壁に横方向から作用する押圧力に係る変形を抑制したことを特徴とする合成樹脂製壜体。
【請求項２】
胴部(4)の一定高さ範囲で筒壁の一部を陥没状にした凹状のパネルを複数、周方向に並列状に形成し、隣接する前記パネル間を柱部(15)とした請求項１記載の合成樹脂製壜体。
【請求項３】
パネルを減圧吸収パネル(11)とした請求項２記載の合成樹脂製壜体。
【請求項４】
傾斜角度(α)を調整し、壜体(1)の中心軸(X)に対するどの中心角度位置(E)においても、パネルを形成した高さ範囲のどこかに前記柱部(15)の一部が存在位置するように構成した請求項２または３記載の合成樹脂製壜体。
【請求項５】
少なくとも、任意の１本の柱部(15)の上端の中心角度位置(E)と、隣接する柱部(15)の下端の中心角度位置(E)とが一致するまで傾斜角度(α)を大きくした請求項１、２、３または４記載の合成樹脂壜体。
【請求項６】
パネルの角部(12)を角取して円弧状とし、柱部(15)の上基端部および下基端部の幅を広くするように構成した請求項２、３、４または５記載の合成樹脂製壜体。
【発明の詳細な説明】
【技術分野】
【０００１】
本発明は合成樹脂製壜体、特には胴部への横方向からの押圧力による変形を抑制した合成樹脂製壜体に関する。
【背景技術】
【０００２】
従来より、ポリエチレンテレフタレート（以下ＰＥＴと記す。）樹脂製等の合成樹脂製壜体は、各種飲料用の容器として広く利用されているが、これら壜体では材料コスト低減のための胴壁の薄肉化に伴い、壜体としての剛性と強度を十分に確保し、また壜体内の圧力変動による胴壁の変形をいかに目立たないように吸収するかは壜体の形状設計における大きな課題である。
【０００３】
たとえば特許文献１には、胴部に減圧吸収パネルを有する壜体についての記載がある。この壜体は、殺菌を必要とするたとえば果汁飲料、お茶等の内容液を９０℃程度の高温で充填する所謂高温充填向け用途に使用される。９０℃前後の温度で内容液を壜体に充填し、キャップをして密封後、冷却するので壜体内がかなりの減圧状態となり胴壁の変形が問題となる。
【０００４】
図５に、内容量が２８０ｍｌの小型で丸型の従来のＰＥＴボトルを示すが、口筒部１０２、肩部１０３、胴部１０４および底部１０５から形成され、胴部１０４に６ケの減圧吸収パネル１１１が陥没状に形成されている。この減圧吸収パネル１１１は、略平板状であり、壜体１０１内が減圧状態になった際には、容易に内側に陥没状に変形可能であるので、外観上において、壜体がいびつに変形した感じを与えることなく、すなわち目立たないように減圧状態を吸収（緩和）する機能（以下、減圧吸収機能と記す。）を発揮することができる。
【０００５】
一方、壜体の中心軸Ｘ方向（以下、縦方向と記す場合がある。）の押圧力に係る剛性、あるいは座屈強度（以下、単に強度と記す。）は主として隣接する減圧吸収パネル１１１間に起立状に形成された柱部１１５が担う。
また、中心軸Ｘ方向に垂直な方向（以下、横あるいは横方向と記す。）の押圧力（図５中の白抜き矢印の方向を参照。）に係る剛性、あるいは座屈強度は主として減圧吸収パネル１１１の上と下に位置する短円筒状の環状部１１６ｔ、１１６ｂが担うが、必要に応じてこの部分に周溝１１７を形成して周リブ的な機能を大きく発揮させて横方向の剛性、および座屈強度を高くする。
そして柱部１１５、環状部１１６ｔ、１１６ｂにより上記のように縦方向および横方向への剛性と強度を十分確保するようにして、内容液の充填工程、壜体の搬送ライン、積重保管、自販機による販売等、生産、物流、販売においては勿論のこと、さらに一般的に壜体に外力が作用した場合にも、変形によるトラブルがないようにしている。
【０００６】
ここで、胴壁の薄肉化を進めた場合には、上記のような高温充填向けの壜体に限らず、たとえば内容液を限界濾過法により細菌を濾過し無菌化するか、高温短時間で瞬間殺菌して常温充填する無菌充填向けの用途に使用する壜体等、常温充填用の一般的な壜体においても、環境温度の変化等による僅かな内圧の変化により胴壁が変形してしまう。
このため、上記説明した高温充填向け壜体の形状の設計手法、すなわち、胴部に意図的に、変形が容易な領域である減圧吸収パネルを陥没形成して壜体内部の圧力変動に対応し、陥没させずに残した減圧吸収パネルの周囲に位置する柱部と環状部で壜体としての剛性と強度を確保する設計手法は、高温充填向け壜体に限らず常温充填向けの一般的な壜体においても有効に適用できる。
【特許文献１】特開平１０−５８５２７号公報
【発明の開示】
【発明が解決しようとする課題】
【０００７】
しかしながら、３５０ｍｌあるいは２８０ｍｌ程度の小型の壜体では大型の壜体に比較して減圧吸収パネルを形成できる範囲が限定され、減圧吸収パネルによる減圧吸収機能と、壜体としての剛性を共に十分に確保することが困難であるという問題がある。
縦方向の剛性と強度は前述した図６に示した、縦方向に起立する柱部１１５で比較的容易にその剛性、強度を確保することができるが、特に横方向の剛性と強度を確保するのが困難である。
横方向の剛性と強度が不足すると、壜体の搬送ラインで整列状態が乱れてスムーズな搬送が阻害される、壜体を横向きに並べて箱詰めし積重保管した際に変形してしまう、そして自販機内で多数の壜体が横向けに積層した状態で、最下端の壜体の胴部が払出用のストッパー等に当接して横方向に撓み変形し、その結果この壜体がストッパーから外れ、数ケの壜体が一挙に払い出されてしまうという致命的な問題が発生する。
【０００８】
そして、横方向の剛性と強度を大きくするためには、たとえば胴部の中央高さ位置に周リブ状の機能を発揮する周突条あるいは周溝を追加配設すれば良いが、そうすると減圧吸収パネルの形成可能な面積が制限されてしまい減圧吸収機能を十分に確保することができなくなくなってしまう。そして前述したように小型の壜体ほどこの問題の解決は困難であり、従来では壜体の肉厚を厚くしてこの剛性と強度を確保しているのが実情であり、その結果使用する樹脂量が増えて製造コストが高くなってしまう。
【０００９】
そこで、本発明は上記した従来技術における問題点を解消すべく創案されたもので、厚肉化によって材料コストを増大させることなく壜体の横方向の剛性と強度を向上させる壜体形状の設計を技術的課題とし、搬送ライン、自販機等でスムーズに使用でき、積重保管時における変形のない、そして高温充填用途向けには十分な減圧吸収機能が発揮される合成樹脂製壜体をより低コストで提供することを目的とする。
【課題を解決するための手段】
【００１０】
上記技術的課題を解決する請求項１記載の発明の手段は、胴部に複数の突条状の柱部を、壜体の中心軸に対して、一定の傾斜角度に傾斜させ螺旋状に互いに並行して位置するように形成配置し、胴部筒壁に横方向から作用する押圧力に係る変形を抑制したこと、にある。
【００１１】
請求項１記載の基本的な技術思想は、柱部を壜体の中心軸に対して傾斜させて、この柱部に元来の縦方向の荷重を支える支柱としての機能を発揮させると共に、周突条による周リブ的な機能を発揮させ、横方向の押圧力に対する剛性と強度を向上させようとしたこと、にある。
【００１２】
そして、請求項１記載の上記構成によれば、柱部は壜体の中心軸に対して一定の傾斜角度に傾斜させ螺旋状に形成配置されているので、柱部は平面上にあるのではなく壜体の外部方向に向かって凸に湾曲状となり、横方向からの押圧力に対して周リブ的な機能を発揮でき、胴部の筒壁に横方から作用する押圧力に係る変形を抑制することができる。
【００１３】
請求項２記載の発明の手段は、請求項１記載の発明において、胴部の一定高さ範囲で筒壁の一部を陥没状にした凹状のパネルを複数、周方向に並列状に形成し、隣接するパネル間を柱部としたこと、にある。
【００１４】
請求項２記載の上記構成は、中心軸に対して傾斜して形成される柱部の形成態様の一つであり、そしてこの請求項２記載の上記構成によれば、柱部はたとえば円筒状の胴部を有する壜体では、筒壁を陥没状に形成した凹状のパネルを囲うように陥没形成しない部分が残され、このうち周方向に隣接するパネル間が柱部に、そしてパネルの上と下が短円筒状の形状が残った環状部に形成される。
【００１５】
それ故に、柱部は突条状に形成され、円筒状の筒壁上に壜体の中心軸周りに螺旋状に位置するので、柱部は平面上にあるのではなく壜体の外部方向に向かって凸に湾曲状となり、横方向からの押圧力に対して周リブ的な機能を発揮でき、胴部の筒壁に横方から作用する押圧力に係る変形を抑制することができる。
【００１６】
ここで、１本の柱部についてみると、周リブ的な機能は小さいが、複数の上記のような外に向かって突条の柱部が傾斜して形成され、さらにこれら柱部の上端および下端は、上記した上下の環状部によって一体的に連結される。
このため、１本の柱部が孤立して機能するのではなく、複数の柱部が上下の環状部によって一体連結して、この環状部も含んで突条状リブが胴部全体に亘るネットワークを形成して、荷重を分散させることができ、横方向の押圧に懸かる、剛性と強度を効果的に大きくすることができる。
【００１７】
そして、凹状のパネルは柱部や環状部を形成する機能を果たすだけでなく、壜体内の、内容液の温度、環境温度等の変化による圧力変動を吸収する機能を発揮させることができ、圧力変動による筒壁の変形を目立たないようにすることができる。また、この吸収機能により柱部や環状部に変形が及ばないようにして、壜体の外殻的な全体形状を一定に保持することができ、筒壁の内圧変動による変形に起因する搬送ラインや、積重保管等におけるトラブルを防ぐことができる。
【００１８】
なお、上記では円筒状の胴部を有する例を取り上げてその作用効果を説明したが、勿論、丸型の壜体だけでなく、楕円筒状、長円筒状、正多角形筒状にも適用できる。
また、柱部の傾斜角度が小さすぎると、横方向の剛性と強度への寄与が小さくなり、一方傾斜角度が大きすぎると柱部が本来担うべき、縦方向の剛性、あるいは座屈強度が小さくなるので、傾斜角度を具体的にどの程度にするかは壜体の使用のされ方、あるいは意匠性も含めた設計事項である。
【００１９】
請求項３記載の発明の手段は、請求項２記載の発明において、パネルを減圧吸収パネルとしたこと、にある。
【００２０】
請求項３記載の上記構成により、パネルの面積を犠牲にすることなく壜体の剛性と強度が確保されるので、凹状のパネルの陥没形状を適宜設計して減圧吸収機能を有する減圧吸収パネルとして機能させて高温充填向け用途に使用することができる。
【００２１】
請求項４記載の発明の手段は、請求項２または３記載の発明において、傾斜角度を調整し、壜体の中心軸に対するどの中心角度位置においても、減圧吸収パネルを形成した高さ範囲のどこかに前記柱部の一部が存在位置するように構成したこと、にある。
【００２２】
請求項４記載の上記構成は、横方向の押圧力のうち、たとえば、自販機内で商品払出機構部分のストッパーにより壜体に作用する押圧力のように、押圧力が限定された幅で胴部の略全高さ範囲に作用する場合に特に有効である。
すなわち、請求項４記載の上記構成により、壜体の中心軸に対するどの中心角度位置においても、パネルを形成した高さ範囲のどこかに柱部の一部が存在位置するように構成することにより、胴部のどの中心角度位置に横荷重が作用しても、この横荷重をパネルの上下に位置する環状部とこの上下環状部の間に位置する柱部の３つの部分で支えるようにすることができ、撓みの大きさを抑制することができる。
【００２３】
ここで、従来の壜体のように柱部を直立させた壜体では柱部がない中心角度位置に限定された幅で、胴部の略全高さ範囲で横荷重が作用すると、そこでは上下の環状部の２点のみで支えるので撓み変形が大きくなってしまう。
【００２４】
請求項５記載の発明の手段は、請求項１、２、３または４記載の発明において、少なくとも、任意の１本の柱部の上端の中心角度位置と、隣接する柱部の下端の中心角度位置とが一致するまで傾斜角度を大きくしたこと、にある。
【００２５】
請求項５記載の上記構成は、任意の１本の柱部の上端の中心角度位置と、隣接する柱部の下端の中心角度位置とを一致させることにより、複数の柱部が繋がって、全体として全周に亘って柱部が配設されるようになり、柱部の周リブとしての作用がより効果的に発揮される。
【００２６】
勿論、傾斜角度をさらに大きくすれば、隣接する柱部の上端部と下端部が重なるようにすることもできるが、前述したようにどの程度にするかは、縦方向の剛性と強度、あるいは意匠も含めて設計事項としてきめることができる。
【００２７】
また、凹状のパネルを形成した壜体においては、このパネルの高さ範囲のどこかに柱部の一部が存在位置するようにするための柱部の傾斜角度を決めるための具体的な構成の一つを示すものであり、少なくとも柱部の上端と次の柱部の下端が重なって位置するので、どの中心角度であってもパネルを形成した高さ範囲のどこかに柱部の一部が存在位置するようにすることができる。
【００２８】
請求項６記載の発明の手段は、請求項２、３、４または５記載の発明において、パネルの角部を角取して円弧状とし、柱部の上基端部および下基端部の幅を広くするように構成したこと、にある。
【００２９】
請求項６記載の上記構成により、柱部の上基端部および下基端部の幅を広くすることにより、柱部と上下の環状部との連結がより強固になるので、より効果的に荷重を分散して横方向の剛性と強度を大きくすることができる。
【００３０】
また、幅広になった上基端部および下基端部を利用することができ、傾斜角度を小さめにしても、任意の１本の柱部上端と隣接する柱部下端の重なりを確保でき、傾斜角度に係る設計上の制約を緩和することができる。
【発明の効果】
【００３１】
本発明は、上記した構成となっているので、以下に示す効果を奏する。
請求項１記載の発明にあっては、柱部を壜体の中心軸に対して傾斜させて、この柱部に元来の縦方向の荷重を支える支柱としての機能を発揮させると共に、周突条による周リブ的な機能を発揮させ、横方向の押圧力に対する剛性、あるいは強度を向上させることができる。
【００３２】
請求項２記載の発明にあっては、中心軸に対して傾斜して形成される柱部の形成態様の一つであり、パネルを囲うように陥没形成しない部分が残され柱部と環状部に形成され、これらが一体連結して突条状リブが胴部全体に亘るネットワークを形成して、荷重を分散させることができ、横方向の押圧に係る剛性と強度を効果的に大きくすることができる。
【００３３】
請求項３記載の発明にあっては、パネルの面積を犠牲にすることなく壜体の剛性と強度が確保されるので、凹状のパネルの陥没形状を適宜設計して減圧吸収機能を有する減圧吸収パネルとして機能させて高温充填向け用途に使用することができる。
【００３４】
請求項４記載の発明にあっては、特に自販機内等で壜体の胴部に作用するような、限定された幅で胴部の略全高さ範囲に亘って作用する態様の横荷重を、パネルの上下の環状部と、この上下の環状部の間に位置する柱部の少なくとも３つの部分で支えるようにすることができ、自販機内で使用では勿論のこと、同様な態様の横荷重が作用する搬送ライン、積重保管等での撓みの発生を抑制するためにも効果的である。
【００３５】
請求項５記載の発明にあっては、複数の柱部が繋がって、全体として全周に亘って柱部が配設されるようになり、柱部の周リブとしての作用がより効果的に発揮される。
【００３６】
請求項６記載の発明にあっては、柱部の上基端部および下基端部の幅を広くすることにより、柱部と上下の環状部との連結がより強固になるので、より効果的に荷重を分散して横方向の剛性と強度を大きくすることができる。また、柱部の上基端部および下基端部の幅を広くすることにより、傾斜角度を小さめにしても、任意の１本の柱部上端と隣接する柱部下端の重なりを確保でき、傾斜角度に係る設計状の制約を緩和することができる。
【発明を実施するための最良の形態】
【００３７】
以下本発明の実施の形態を図面を参照して説明する。
図１〜図３は本発明の合成樹脂製壜体一実施例を示すものである。図１は正面図、図２(ａ)は図１中のＡ−Ａ線での平断面図、図２（ｂ）は図１中のＢ−Ｂ線に沿って示す断面図であり、後述する減圧吸収パネル１１の陥没状の形状を示すものである。
この壜体１はＰＥＴ樹脂製の二軸延伸ブロー成形品であり、口筒部２、肩部３、胴部４、底部５を有し、通称容量が２８０ｍｌの円筒状の胴部４を有する小型の丸型ボトルである。全高さは１３２ｍｍ、最大径Ｄ０は６６ｍｍ、重量は１９ｇである。
【００３８】
胴部４の一定高さ範囲には、略平板状で、角部１２を角取して円弧状とした平行四辺形状の６ケの、凹状のパネルの一実施形態である減圧吸収パネル１１が、円筒状の胴部４筒壁の一部を陥没状にして形成されている。また、隣接する減圧吸収パネル１１間には、突条状の柱部１５が壜体１の中心軸Ｘ方向に対して傾斜するように形成されている。また、減圧吸収パネル１１の上と下にはそれぞれ周溝１７を形成した短円筒状の環状部１６ｔ、１６ｂが位置し、周リブ的な機能を発揮して、壜体の横方向の押圧力に対する剛性を確保するようにしている。
【００３９】
柱部１５について詳述すると、この柱部１５は減圧吸収パネル１１の陥没形成により、現出されたものであり、中心軸Ｘに対して傾斜して観察されるこの細長帯状の柱部１５の突面は、円筒状の胴部４の筒壁に沿って中心軸Ｘの周りに螺旋状に配置されている。
【００４０】
図３は、図１の壜体１の胴部４筒壁を周方向に展開した図である。柱部１５の中心軸Ｘ方向からの傾斜角度はαは３１°であり角部１２の２つの大きさの曲率半径Ｒ１、Ｒ２は３．２ｍｍと１０ｍｍである。
そして、任意の１本の柱部１５ａの上端１５ｔａと隣接した柱部１５ｂの下端１５ｂｂは同じ中心角度位置Ｅ１に位置するように、傾斜角度αを決めている。
この際、任意の１本の柱部１５ａの上端１５ｔａと下端１５ｂａの間の中心角度範囲Ｇは６０°（３６０°／６）である。
【００４１】
そして、柱部１５を上記のような傾斜角度αとすることにより、胴部４の筒壁において、どの中心角度位置Ｅにおいても減圧吸収パネル１１を形成した高さ範囲のどこかに柱部１５の一部を存在位置させるこができる。
【００４２】
例えば、中心角度位置Ｅ２の位置では減圧吸収パネル１１の略中央高さ位置に柱部１５の一部が存在位置し、中心角度位置Ｅ１の位置では、上端部および下端部に柱部１５の一部が存在位置するので、胴部４の任意の中心角度位置Ｅにおいて、全高さ範囲に亘って限定された幅で直線状に横荷重が懸かっても、上下の環状部１６ｔ、１６ｂと共に柱部１５が荷重を直接支持することができる。
【００４３】
次に、上記実施例の壜体１と、図５に示す従来例の壜体１０１を比較して、図６に示すような横荷重による撓み試験を実施した。なお、従来例の壜体１０１の容量、高さ、最大径Ｄ０、重量は実施例と同様に成形したものである。
この試験は幅１０ｍｍのスチール製角棒状の試験治具Ｐを用いて壜体の胴部の全高さ範囲に亘って１０ｍｍ幅で横荷重を付加するものであり、壜体の中心軸Ｘ周りを回転させて、治具Ｐが当接する中心角度位置Ｅを変えながら（図６（ｂ）、（ｃ）参照）、横荷重６ｋｇｆを付加した際の撓み変形後の径Ｄ（図６（ｄ）参照）を測定した。
【００４４】
試験結果
（１）実施例の壜体１
中心角度位置Ｅに係わらず略同一の変形であり、変形後の径Ｄの平均値は６１．９８ｍｍ（標準偏差０．１２）であった。
（２）従来例の壜体１０１
中心角度位置Ｅを柱部天地になるようにした場合（図６（ｂ）の状態）の径Ｄの平均値は６１．８５ｍｍ（標準偏差０．２７）であった。また、中心角度位置Ｅを減圧吸収パネル天地になるようにした場合（図６（ｃ）の状態）の径Ｄの平均値は５８．４６ｍｍ（標準偏差０．６９）であった。
また、高温での内容液充填における、減圧吸収パネルの減圧吸収機能を試験したが、実施例の壜体１、従来例の壜体１０１双方とも十分発揮され、実用上問題のないものであった。
【００４５】
上記試験結果に示されるように、従来例の壜体１０１では減圧吸収パネル１１１の部分に、横荷重が懸かると、柱部１１５の部分に比較して撓み変形がかなり大きくなる。この点、実施例の壜体１では、特に壜体の重量を増やすことなく、すなわち胴壁の肉厚を厚くすることなく、どの中心角度位置においても大きく変形する部分がないようにすることができ、柱部１５を傾斜させた構成とした本願発明の作用効果が確認された。
【００４６】
さらには、実施例の壜体１の結果において変形後の径Ｄの平均値が６１．９８ｍｍに対してその標準偏差が０．１２と小さいことから、撓み変形が中心角度位置Ｅに拠らず一定であることが判る。このことからも単に１本の柱部１５を傾斜させた効果だけでなく、複数の柱部１５が上下の環状部１６ｔ、１６ｂによって一体連結して、この環状部も含んだ突条状リブが胴部４全体に亘るネットワークを形成して、荷重を分散させる効果が発揮されたものと推察される。
【００４７】
次に、図４は図１の実施例において他の条件は同様にして、柱部１８の傾斜角度αを２０°と小さくした例であり、図３の展開図と同様にその一部を示したものである。
図中に示したように、１本の柱部１５ａの上端１５ｔａと、隣接する柱部１５ｂの下端１５ｂｂは上下に完全に重ならないが、角部１２を円弧状にし、上端１５ｔａと下端１５ｂｂ近傍では広幅としているので、たとえば中心角度位置Ｅ３のような位置でもぎりぎり柱部１５ａの一部と柱部１５ｂの一部を上下に重ねて位置させることができる。
【００４８】
このように僅かな重なりではあるが、多くの場合、横荷重が線状に付加されるのではなく、実際には図６に示した治具Ｐのようにある幅（治具Ｐでは１０ｍｍ）で付加されるので、柱部１５が荷重を直接、支持することが可能となる。
そして、このようなことも考慮にいれれば傾斜角度αをより小さくすることができ、縦方向の剛性、意匠性も含めた設計状の制限を緩和することができる。
ここで、柱部１５全体で幅を広げてしまうと、減圧吸収パネル１１の幅が制限され、減圧吸収機能を十分発揮させることが難しくなる。
【００４９】
以上、実施例について本発明の実施の形態、およびその作用効果を説明したが、本発明は上記実施例に限定されるものではない。
ＰＥＴ樹脂製以外の壜体にも一般的に適用できるものであり、胴部が円筒状の丸型ボトルだけではなく、正６角形、正８角形等のボトル、さらには楕円状、長円状のボトルにも適用が可能である。
また、減圧吸収パネルの形成個数も本実施例に限定されるものではなく、また、小型ボトルだけではなく１リッター程度のボトルでもその作用効果が発揮される。
【００５０】
また、本実施例では図６に示したような態様の横荷重に関して記載したが、本願の柱部を傾斜させるという構成による作用効果は、この態様に限定されるものでなく、様々な態様の横荷重に対応できるものである。
たとえば、図６に示される治具Ｐの長手方向を中心軸Ｘに対して直角方向して胴部の所定高さ位置を押圧するような横荷重に対しても、その作用効果が十分に発揮される。
【００５１】
そして、柱部１５の傾斜角度αはこれら横荷重の態様に応じて、縦方向の剛性と強度、あるいは意匠性を考慮して選択することができる。
たとえば横荷重の態様によっては図３に示されるように、必ずしも、任意の１本の柱部１５ａの上端１５ｔａと隣接した柱部１５ｂの下端１５ｂｂは同じ中心角度位置Ｅ１に位置するように傾斜角度αを決めることはなく、αをもっと小さくして上端と下端をかなり離すようにすることもできる。
また、必要に応じてαをさらに大きくして、隣接する柱部を上下方向に重ねることもできる。
【産業上の利用可能性】
【００５２】
以上説明したように本発明の合成樹脂製壜体は、減圧吸収機能が十分に発揮され、横荷重に対する高剛性化、高強度化を樹脂量を増やすことなく達成したものであり、搬送ライン、積重保管、自販機等、横荷重に対する変形が問題となる場所で、安心して使用できる壜体として幅広い用途展開が期待される。
【図面の簡単な説明】
【００５３】
【図１】本発明の壜体の一実施例を示す全体正面図である。
【図２】（ａ）は図１のＡ−Ａ線に沿って示した壜体の平断面、（ｂ）はＢ−Ｂ線に沿って示した断面図である。
【図３】図１の壜体の胴部の周方向展開図である。
【図４】柱部の傾斜角度を変えた例について図３と同様に示す展開図である。
【図５】壜体の従来例を示す全体正面図である。
【図６】壜体の撓み試験の方法を示す説明図である。
【符号の説明】
【００５４】
１  ；壜体
２  ；口筒部
３  ；肩部
４  ；胴部
５  ；底部
１１；減圧吸収パネル
１２；角部
１５（１５ａ、１５ｂ）；柱部
１５ｔ（１５ｔａ）；上端
１５ｂ（１５ｂａ、１５ｂｂ）；下端
１６ｔ、１６ｂ環状部
１７；周溝
１０１；壜体
１０２；口筒部
１０３；肩部
１０４；胴部
１０５；底部
１１１；減圧吸収パネル
１１５；柱部
１１６ｔ、１１６ｂ；環状部
１１７；周溝
Ｘ  ；中心軸
傾斜角度；α
Ｅ（Ｅ１、Ｅ２、Ｅ３）；中心角度位置
Ｇ  ；中心角度範囲
Ｒ１、Ｒ２；曲率半径
Ｐ  ；試験治具
【図１】
2006335383.tif 000003
【図２】
2006335383.tif 000004
【図３】
2006335383.tif 000005
【図４】
2006335383.tif 000006
【図５】
2006335383.tif 000007
【図６】
2006335383.tif 000008